(57)【特許請求の範囲】
【請求項１】
送風式の薬剤放散器１と、この薬剤放散器１を人、動物の体に着用するための着用バンド２を備え、
前記薬剤放散器１は、吸込口１３と放出口１４を有する本体１０に、送風機１１と薬剤１２を設け、その送風機１１を駆動することで吸込口１３から空気を吸い込み、薬剤を含む空気を放出口１４から放出するものとし、
前記着用バンド２は、人、動物の体に巻きつけて支持できると共に、前記薬剤放散器１の放出口１４から放出した薬剤を含む空気を、その長手方向ほぼ全長から大気に放出するものとしたことを特徴とする着用型送風式薬剤放散装置。
【請求項２】
薬剤放散器１の本体１０と着用バンド２のバンド本体２０が一体で、そのバンド本体２０の長手方向ほぼ全長に亘って、前記本体１０の放出口１４と連通した空気流通孔２３が形成され、
前記バンド本体２０には、前記空気流通孔２３を流通する空気を、長手方向ほぼ全長から大気に放出する放出部２４が形成されている請求項１記載の着用型送風式薬剤放散装置。
【請求項３】
薬剤放散器１の本体１０と着用バンド２のバンド本体２０が別体で、
そのバンド本体２０の長手方向ほぼ全長に亘って空気流通孔２３が形成されていると共に、その空気流通孔２３を流通する空気を長手方向ほぼ全長から大気に放出する放出部２４が形成され、
前記本体１０と前記バンド本体２０は、その放出口１４と空気流通孔２３が連通するように着脱自在に連結されている請求項１記載の着用型送風式薬剤放散装置。
【請求項４】
バンド本体２０の長手方向中間部に凹陥部２５を形成し、その凹陥部２５の一対の側面２５ｂに空気流通孔２３がそれぞれ開口し、
薬剤放散器１の本体１０が前記凹陥部２５内に、その放出口１４が空気流通孔２３に連通するように着脱自在に嵌め込んで取付けした請求項３記載の着用型送風式薬剤放散装置。
【請求項５】
バンド本体２０を一側バンド本体２０ａと他側バンド本体２０ｂに分離し、その一側・他側バンド本体２０ａ，２０ｂの長手方向の端面に空気流通孔２３をそれぞれ開口し、
薬剤放散器１の本体１０における一対の放出口１４の周縁部に取付用穴１７を形成し、
この各取付用穴１７に一側バンド本体２０ａ、他側バンド本体２０ｂの長手方向端部を着脱自在に嵌め込んで、各空気流通孔２３と各放出口１４をそれぞれ連通した請求項３記載の着用型送風式薬剤放散装置。
【発明の詳細な説明】
【技術分野】
【０００１】
本発明は、人、動物の体に着用して使用する着用型送風式薬剤放散装置に関する。
【背景技術】
【０００２】
従来、人、動物の体に着用して使用する着用型送風式薬剤放散装置としては、特許文献１に開示されたように、送風式の薬剤放散器に着用バンドを取付け、その着用バンドを人、動物の体に巻きつけて着用して使用するものが知られている。
この着用型送風式薬剤放散装置であれば、人の体に着用して使用するので、人が屋外で作業等する際に用いるものとして好ましい。
【０００３】
【特許文献１】特開２００４−２４１６１号公報
【発明の開示】
【発明が解決しようとする課題】
【０００４】
前述の従来の着用型送風式薬剤放散装置の送風式の薬剤放散器は、本体に送風機と薬剤を設け、その送風機を駆動することで本体の吸込口から空気を吸い込み、本体の放出口から薬剤とともに大気に放出するものであるから、前述した従来の着用型送風式薬剤放散装置は、着用バンドの長手方向における送風式の薬剤放散器を取付けした一部分のみから薬剤が大気に放出される。
【０００５】
このために、人や動物の体に着用バンドを巻きつけて使用する際に、その着用バンドを巻きつけた部分（例えば、人の腰、動物の胴体）における薬剤放散器が存在する１箇所のみから薬剤が放出され、その着用バンドを巻きつけた部分の全周から薬剤を放出できないので、薬剤放出による十分な薬剤効果が得られないことがある。
例えば、人の腰に着用した場合に、送風式の薬剤放散器が人の体の腹側に位置すれば、人の体の背中側には薬剤が放出されないし、前記薬剤放散器が人の体の背中側に位置すれば人の体の腹側には薬剤が放出されない。
【０００６】
本発明の目的は、人、動物の体に着用バンドを巻きつけて使用する際に、その着用バンドを巻きつけた部分の全周から薬剤を大気に放出できるようにした着用型送風式薬剤放散装置を提供することである。
【課題を解決するための手段】
【０００７】
第１の発明は、送風式の薬剤放散器１と、この薬剤放散器１を人、動物の体に着用するための着用バンド２を備え、
前記薬剤放散器１は、吸込口１３と放出口１４を有する本体１０に、送風機１１と薬剤１２を設け、その送風機１１を駆動することで吸込口１３から空気を吸い込み、薬剤を含む空気を放出口１４から放出するものとし、
前記着用バンド２は、人、動物の体に巻きつけて支持できると共に、前記薬剤放散器１の放出口１４から放出した薬剤を含む空気を、その長手方向ほぼ全長から大気に放出するものとしたことを特徴とする着用型送風式薬剤放散装置である。
【０００８】
第２の発明は、第１の発明において、薬剤放散器１の本体１０と着用バンド２のバンド本体２０が一体で、そのバンド本体２０の長手方向ほぼ全長に亘って、前記本体１０の放出口１４と連通した空気流通孔２３が形成され、
前記バンド本体２０には、前記空気流通孔２３を流通する空気を、長手方向ほぼ全長から大気に放出する放出部２４が形成されている着用型送風式薬剤放散装置である。
【０００９】
第３の発明は、第１の発明において、薬剤放散器１の本体１０と着用バンド２のバンド本体２０が別体で、
そのバンド本体２０の長手方向ほぼ全長に亘って空気流通孔２３が形成されていると共に、その空気流通孔２３を流通する空気を長手方向ほぼ全長から大気に放出する放出部２４が形成され、
前記本体１０と前記バンド本体２０は、その放出口１４と空気流通孔２３が連通するように着脱自在に連結されている着用型送風式薬剤放散装置である。
【００１０】
第４の発明は、第３の発明において、バンド本体２０の長手方向中間部に凹陥部２５を形成し、その凹陥部２５の一対の側面２５ｂに空気流通孔２３がそれぞれ開口し、
薬剤放散器１の本体１０が前記凹陥部２５内に、その放出口１４が空気流通孔２３に連通するように着脱自在に嵌め込んで取付けした着用型送風式薬剤放散装置である。
【００１１】
第５の発明は、第３の発明において、バンド本体２０を一側バンド本体２０ａと他側バンド本体２０ｂに分離し、その一側・他側バンド本体２０ａ，２０ｂの長手方向の端面に空気流通孔２３をそれぞれ開口し、
薬剤放散器１の本体１０における一対の放出口１４の周縁部に取付用穴１７を形成し、
この各取付用穴１７に一側バンド本体２０ａ、他側バンド本体２０ｂの長手方向端部を着脱自在に嵌め込んで、各空気流通孔２３と各放出口１４をそれぞれ連通した着用型送風式薬剤放散装置である。
【発明の効果】
【００１２】
請求項１に係る発明によれば、人、動物の体に着用バンド２を巻きつけ、送風機１１を駆動して使用する際に、放出口１４から放出された薬剤を含む空気は、着用バンド２の長手方向ほぼ全長から大気に放出されるので、その着用バンド２を巻きつけた部分の全周から薬剤を大気に放出できる。
したがって、十分な薬剤効果が得られる。
【００１３】
請求項２に係る発明によれば、薬剤放散器１の本体１０の放出口１４とバンド本体２０の空気流通孔２３が一体的に連続しているので、その放出口１４から放出された空気が洩れることなしに確実に空気流通孔２３に流入する。
したがって、薬剤を無駄なく着用バンド２を巻きつけた部分の全周から大気に放出できる。
【００１４】
請求項３に係る発明によれば、薬剤放散器１と着用バンド２を別々に製作できるから、その製作が容易であると共に、両者の材料を任意に選択できる。
また、薬剤放散器１と着用バンド２を別々に包装して輸送したり、保管することができる。
また、着用バンド２の長さを変えることで、薬剤放散器１を共通として人用、小動物用、大動物用の着用型送風式薬剤放散装置とすることができる。
【００１５】
請求項４に係る発明によれば、本体１０を凹陥部２５に嵌め込んだり、外したりすることで、薬剤放散器１と着用バンド２を簡単に着脱できる。
【００１６】
請求項５に係る発明によれば、一側・他側バンド本体２０ａ，２０ｂの長手方向一端部を、本体１０の取付用穴１７に嵌め込んだり、抜き出ししたりすることで、薬剤放散器１と着用バンド２を簡単に着脱できる。
【発明を実施するための最良の形態】
【００１７】
図１に示すように、送風式の薬剤放散器１と、この薬剤放散器１を人、動物の体に着用するための着用バンド２で着用型送風式薬剤放散装置としている。
前記薬剤放散器１は、図２に示すように、本体１０と、この本体１０に設けた送風機１１、薬剤１２を備えている。前記本体１０には吸込口１３と放出口１４が形成してある。
そして、前記送風機１１を駆動することで吸込口１３から空気を吸い込み、その空気を薬剤１２に触れて放出口１４から薬剤とともに放出する。
【００１８】
前記着用バンド２は、バンド本体２０の長手方向両側部に一側連結部２１と他側連結部２２を有し、その一側連結部２１と他側連結部２２を連結することでバンド本体２０はリング形状となる。
この実施の形態では、一側連結部２１はバックルで、他側連結部２２はバックルの爪２１ａが嵌合する複数の穴２２ａとしてある。これに限ることはなく、マジックテープ（商品名）や、磁石などでも良い。
前記バンド本体２０の長手方向ほぼ全長に亘って空気流通孔２３を有している。この空気流通孔２３は図３に示すように、前記薬剤放散器１の本体の放出口１４と連通し、その空気流通孔２３には放出口１４から放出された薬剤を含む空気が流通する。
前記バンド本体２０には空気流通孔２３を流通する空気を長手方向ほぼ全長から大気に放出する放出部２４が形成されている。
この実施の形態では、放出部２４は長手方向に間隔を置いて形成した複数の放出用の穴２４ａである。これに限ることはなくスリット状の開口でも良い。この放出部２４はバンド本体２０の表面に形成してあるが、幅方向両側端面に形成しても良い。
【００１９】
つまり、着用バンド２は人、動物の体に巻きつけて支持できると共に、その長手方向ほぼ全長から放出口１４より放出された薬剤を含む空気を大気に放出するものであれば良い。
【００２０】
前述のようであるから、着用バンド２を人や動物の体、例えば人の腰、腕、動物の首、胴体に巻きつけ、薬剤放散器１の送風機１１を駆動して使用する際に、その放出口１４から放出された薬剤を含む空気は、着用バンド２を巻きつけた部分のほぼ全周から大気に放出される。
したがって、十分な薬剤効果が得られる。
【００２１】
次に、各部材の具体形状を図２、図３に基づいて説明する。
前記薬剤放散器１の本体１０は上面が開口した筒形状で、その周面に一側バンド本体２０ａと他側バンド本体２０ｂがそれぞれ一体的に設けてある。例えば、本体１０とバンド本体２０を樹脂材を用いて一体成型したり、別々に成形した後に溶着又は接着などで固着する。
そして、本体１０の周面に放出口１４が各バンド本体２０ａ，２０ｂの空気流通孔２３とそれぞれ連通して一体的に形成してある。このようであるから、放出口１４から放出された空気は漏れたりせずに全量が確実に空気流通孔２３に流入する。
前記送風機１１はモータ１１ａでファン１１ｂを回転駆動するもので、そのモータ１１ａの駆動源となる電池を収納する電池収納室１５が本体１０に設けてある。この電池収納室１５は本体１０の下面に形成してあるが、周面に形成しても良い。
【００２２】
前記薬剤１２は、薬剤を含浸した通気性のシート状の薬剤含浸体１２ａをリング状の保持体１２ｂで保持したもので、その保持体１２ｂを本体１０の開口１０ａに嵌合し、押えリング１２ｃで押しつけて取付けてある。
前記薬剤１２は、前述のものに限ることはなく、ハニカム構造体からなる薬剤含浸体や、通気孔を有する薬剤容器内に粒状の薬剤含浸体を充填したものなどでも良い。
また、図示していないが、前記薬剤１２（又は薬剤）をファンに固着（又は保持）して着脱自在にファンに設けたり、あるいは薬剤１２をファンに着脱自在に設けた薬剤放散器１であっても良い。
【００２３】
次に、本発明の第２の実施の形態を説明する。
この実施の形態は、薬剤放散器１と着用バンド２を別体とし、その薬剤放散器１と着用バンド２を着脱自在に連結したことが前述の実施の形態と相違し、他の構成は同様である。
図４〜図６に示すように、着用バンド２のバンド本体２０における長手方向中間部、好ましくは長手方向中央部に凹陥部２５を形成する。
この凹陥部２５は底面２５ａと長手方向に対向した一対の側面２５ｂで表面に開口したほぼ上向きコ字形状で、その一対の側面２５ｂの平面形状は、薬剤放散器１の本体１０の周面の一部分の形状と同一で、この凹陥部２５に本体１０を嵌め込むことで着脱自在に取付けできるようにしてある。
【００２４】
前記一対の側面２５ｂに空気流通孔２３がそれぞれ開口している。
そして、前述のように凹陥部２５内に本体１０を嵌め込んで取付けることで、本体１０の放出口１４と空気流通孔２３が連通して薬剤を含む空気が空気流通孔２３に流通する。
この場合、放出口１４と空気流通孔２３が隙間なく連通して空気が漏れないようにすることが重要である。
例えば、一対の側面２５ｂ部分又は本体１０の放出口１４周縁部を軟質として両者が密着するようにしたり、一対の側面２５ｂの空気流通孔２３の開口縁又は本体１０の放出口１４開口縁にシール材を設ける。
【００２５】
このようにすることで、薬剤放散器１と着用バンド２を別々に製作できるから、製作が容易であると共に、両者の材料を任意に選択できる。
また、薬剤放散器１と着用バンド２を別々に包装して輸送したり、保管することができる。
また、着用バンド２の長さを変えることで、薬剤放散器１を共通として人用、小動物用、大動物用の着用型送風式薬剤放散装置とすることができる。
【００２６】
前述のようにした場合には、バンド本体２０の凹陥部２５を形成した部分を、他の部分よりも厚く、幅広くすることで、本体１０をより一層しっかりと取付けできると共に、バンド本体２０を幅狭く、薄いものにできる。
また、一対の側面２５ｂと本体１０の周面に、相互に係止する係止凸部と係止凹部を設け、本体１０をしっかり取付けできるようにしても良い。
【００２７】
前記凹陥部２５を、平面形状が周方向に連続した穴形状とし、その凹陥部２５に薬剤放散器１の本体１０の周面全部が嵌まり込むようにして取付けても良い。
このようにした場合には、凹陥部２５の開口縁に蓋を着脱自在に設け、その蓋で薬剤放散器１を閉塞するようにしても良い。つまり、凹陥部２５と蓋で収納室を形成し、その収納室内に薬剤放散器１を収納して取付ける。
なお、この際には蓋に通気孔を形成して吸込口とする。
【００２８】
また、凹陥部２５をバンド本体２０の裏面に開口し、そのバンド本体２０の裏面側から薬剤放散器１を嵌め込んで取付けるようにしても良い。
例えば、図７に示すようにバンド本体２０に凹陥部２５を裏面に開口して形成する。
この場合には、凹陥部２５の底部２５ａ（つまり、バンド本体２０の表面部分）に通気孔２５ｃを形成して薬剤放散器１の本体１０の吸込口１３に空気を吸い込みできるようにする。
また、持ち運び時などに薬剤放散器１が脱落しないように、凹陥部２５の開口部を覆うプレート２５ｄを設ける。
図７に示す薬剤１２は、通気孔を有する容器１２ｃ内に薬剤含浸プレート１２ｄを入れ、押えリング１２ｅで保持したものである。
【００２９】
また、薬剤放散器１の本体１０の上面から空気を吸い込むようにしてあるが、下面から空気を吸い込むようにしても良い。
例えば、図７に示す薬剤放散器１を上下反転し、薬剤１２が裏面側に向かうようにし、凹陥部２５の開口部分から空気を吸い込みできるようにする。
【００３０】
前述のように、薬剤放散器１と着用バンド２を着脱自在に連結するには、前述のことに限ることはなく、種々のことが考えられる。
例えば、図８、図９に示すように、バンド本体２０を一側バンド本体２０ａと他側バンド本体２０ｂに分離し、その一側バンド本体２０ａ、他側バンド本体２０ｂの長手方向一端部を、薬剤放散器１の本体１０における一対の放出口１４の周縁部に着脱自在に連結する。
【００３１】
具体的には、薬剤放散器１の本体１０における一対の放出口１４周縁に筒体１６を一体的に設けて取付用穴１７とする。
一側バンド本体２０ａ、他側バンド本体２０ｂの長手方向一端部を、前記取付用穴１７に嵌め込むことで着脱自在に連結する。
この場合、一側・他側バンド本体２０ａ，２０ｂが外れ難くするために、本体１０の取付用穴１７の底部と、一側・他側バンド２０ａ，２０ｂの長手方向の一端部に磁石１８と磁石２６を対向して固着し、その磁石１８と磁石２６が吸着することで外れ難く支持する。
【００３２】
前述のように、一側・他側バンド本体２０ａ，２０ｂが取付用穴１７から外れ難く支持するには、そのバンド本体と取付用穴に相互に係合する係合凹部と係合凸部を設けると共に、バンド本体を外力で弾性変形するようにし、そのバンド本体を取付用穴に強い力で押し込むことで弾性変形して係合凹部と係合凸部が係合し、かつバンド本体の弾性復元力でしっかりと係合して離脱し難くしても良い。
【００３３】
前述の各実施の形態では、着用バンド２のバンド本体２０を帯状としたが、これに限ることはなく、種々の形状とすることができる。
例えば、図１０に示すように着用バンド２のバンド本体２０を断面円形の中空長尺なパイプ形状とし、その周面に放出用の穴２４を周方向任意の位置に形成する。一側・他側連結部２１，２２を磁石とする。
【００３４】
このようにすれば、大型動物用の着用型送風式薬剤放散装置として好ましい。つまり、バンド本体２０を大型動物（一例として牛）の胴体に、首の部分から尻の部分に向けて螺旋状に複数回巻きつけ、再び尾の部分から首の部分に向けて螺旋状に複数回巻きつけることで、大型動物の胴体の全長に亘って薬剤を含む空気を放出できる。
また、バンド本体２０が断面円形で、放出用の穴２４ａが周方向に任意の位置に形成してあるので、そのバンド本体２０がねじれたりしても巻きつけできるし、薬剤を含む空気を放出できる。
【００３５】
また、前述した各実施の形態のバンド本体２０は柔軟性を有し、そのバンド本体２０自体が人、動物の巻きつける部分の形状に沿って変形するものであるが、これに限ることはない。
例えば、バンド本体２０をほぼ円形状で、外力で弾性的に拡開変形し、その弾性復元力で人、動物の巻きつけ部分に押しつけて保持するものとしても良い。
【００３６】
また、前述した各実施の形態においては、本体１０に一対の放出口１４を形成したが、一側連結部２１と他側連結部２２を連結した時に空気流通孔２３が相互に連通してバンド本体２０の全長に空気流通孔２３が形成されるようにした場合は、前記本体１０の放出口１４は１つでも良い。
【００３７】
例えば、図１０において一側連結部２１と他側連結部２２に孔を、空気流通孔２３と連通して形成し、その一側連結部２１と他側連結部２２を連結した時に一側連結部２１の孔と他側連結部２２の孔が連通して一側バンド本体２０ａの空気流通孔２３と他側バンド本体２０ｂの空気流通孔２３が連通するようにした場合には、本体１０に１つの放出口１４を形成して一側又は他側バンド本体２０ａ，２０ｂの空気流通孔２３にのみ薬剤を含む空気を流通するようにする。
【００３８】
また、前述した各実施の形態ではバンド本体２０に１つの薬剤放散器１を取付けしたが、バンド本体２０に複数の薬剤放散器１を取付けても良い。
このようにすれば、バンド本体２０が長尺であっても、そのバンド本体２０のほぼ全長から薬剤を含む空気を多量で、かつ強い圧力で放出することができるので、特に、体型の大きな動物や身体全体に巻きつけて使用する場合、放出する薬剤の大気への放散力をより高めることができる。
【００３９】
例えば、バンド本体２０に、図４又は図７に示す凹陥部２５と同様の凹陥部２５を、長手方向に間隔を置いて複数形成し、その各凹陥部２５に薬剤放散器１をそれぞれ取付ける。
【００４０】
また、図１１に示すようにバンド本体２０を一側バンド本体２０ａと他側バンド本体２０ｂと中間バンド本体２０ｃに分割し、その一側バンド本体２０ａ、他側バンド本体２０ｂを別々の薬剤放散器１の１つの取付用穴１７にそれぞれ嵌合して取付ける。
前記中間バンド本体２０ｃを一方の薬剤放散器１の残りの取付用穴１７と他方の薬剤放散器１の残りの取付用穴１７にそれぞれ嵌合して取付けることで、１つのバンド本体２０に２つの薬剤放散器１を取付ける。
【００４１】
図１１においては、中間バンド本体２０ｃは第１・第２中間バンド本体２０ｃ−１，２０ｃ−２を着脱自在に連結したものとしてあるが、一体であっても良い。
【００４２】
本発明において使用される薬剤としては、芳香剤、消臭剤、殺菌剤、殺ダニ剤、害虫あるいは害獣忌避剤、殺虫剤または害虫の成長制御剤、吸血行動阻止剤などで、揮散性のものが用いられる。
そして上記の薬剤で、殺虫を目的として使用する場合、従来より用いられている各種揮散性殺虫剤を用いることができ、ピレスロイド系殺虫剤、カーバメート系殺虫剤、有機リン系殺虫剤等が挙げることができる。一般に安全性が高いことからピレスロイド系殺虫剤が好適に用いられる。
さらに、微量で効力を発揮する高活性のメトフルトリン、トランスフルトリン、エムペントリン、テラレスリンが薬剤含浸体を薄く、また小さくできることからより好ましい。
【図面の簡単な説明】
【００４３】
【図１】本発明の第１の実施の形態を示す斜視図である。
【図２】薬剤放散器部分の縦断面図である。
【図３】薬剤放散器部分の横断面図である。
【図４】本発明の第２の実施の形態を示す取り外した状態の斜視図である。
【図５】取付けた状態の薬剤放散器部分の縦断面図である。
【図６】取付けた状態の薬剤放散器部分の横断面図である。
【図７】本発明の第３の実施の形態を示す取付け状態の縦断面図である。
【図８】本発明の第３の実施の形態を示す取り外した状態の斜視図である。
【図９】取付けた状態の薬剤放散器部分の縦断面図である。
【図１０】着用バンドの他の実施の形態を示す概略斜視図である。
【図１１】本発明の第４の実施の形態を示す斜視図である。
【符号の説明】
【００４４】
１…送風式の薬剤放散器、２…着用バンド、１０…本体、１１…送風機、１２…薬剤、１３…吸込口、１４…放出口、２０…バンド本体、２３…空気流通孔、２４…放出部、２５…凹陥部、２５ｂ…側面。
【図１】
0004743767.tif 000002
【図２】
0004743767.tif 000003
【図３】
0004743767.tif 000004
【図４】
0004743767.tif 000005
【図５】
0004743767.tif 000006
【図６】
0004743767.tif 000007
【図７】
0004743767.tif 000008
【図８】
0004743767.tif 000009
【図９】
0004743767.tif 000010
【図１０】
0004743767.tif 000011
【図１１】
0004743767.tif 000012